(57)【要約】【課題】  従来、鞄、バッグ、又はアタッシュケース等でなる収容具の内壁面に設けた収容部の構造は、ポケットとか、筆記具用の差込みホルダーが知られている。しかし、このポケットでは、内部の品物が、整然と収容されない（品物がゴチャゴチャになる）こと、取出しに困ること等を経験する。これらの動作（所作）は大変困ること、急ぎの際には、誠に大変である。【解決手段】  本発明は、鞄、バッグ、又はアタッシュケース、キャリーバッグ、又は財布でなる収容具の内壁面に、複数本の弾性体を設け、弾性体の最も下端の弾性体の下側に、弾性体の幅方向の長さと同等か、又は長い袋体を設け、袋体の開口が、弾性体の下側に配備される構成とした収容部の構造である。収容具に、寸法及び／又は形状の異なる品物を、簡易に、かつ落下することなく、確実に収容できる。【選択図】      図１
2013005890.tif 000002
【特許請求の範囲】
【請求項１】
鞄、バッグ、又はアタッシュケース、キャリーバッグ、又は財布でなる収容具の内壁面に、複数本の弾性体を設け、この弾性体の最も下端の弾性体の下側に、この弾性体の幅方向の長さと同等か、又は長い袋体を設け、この袋体の開口が、前記弾性体の下側に配備される構成とした収容部の構造。
【請求項２】
請求項１に記載の収容部の構造であって、
前記弾性体が、ランダムか、千鳥形状に配備し、この弾性体の上下間に、間隔を設ける構成とした収容部の構造。
【請求項３】
請求項１に記載の収容部の構造であって、
前記弾性体と前記袋体が、内壁面の長手方向に配備される構成とした収容部の構造。
【請求項４】
請求項１に記載の収容部の構造であって、
前記袋体が、ポケットか、又は袋形状か、或いは硬性の受け皿形状とする構成とした収容部の構造。
【請求項５】
請求項１に記載の収容部の構造であって、
前記弾性体は、前記内壁面の上下方向において、複数段形成される構造であり、この上下における弾性体の端部間が、それぞれ重なることで、重なり代が形成される構成とした収容部の構造。
【請求項６】
請求項１に記載の収容部の構造であって、
前記袋体に、弾性を付与する構成とした収容部の構造。
【発明の詳細な説明】
【技術分野】
【０００１】
本発明は、鞄、バッグ、又はアタッシュケース、キャリーバッグ、又は財布でなる収容具の内壁面に設けた収容部の構造に関する。
【背景技術】
【０００２】
この種の鞄、バッグ、又はアタッシュケース、キャリーバッグ、又は財布でなる収容具の内壁面に設けた収容部の構造として、ポケットとか、筆記具用の差込みホルダー（帯バンド）が知られている。しかし、このポケットでは、内部の品物が、整然と収容されない（品物がゴチャゴチャになる）こと、取出しに困ること等を経験する。これらの動作（所作）は大変困ること、急ぎの際には、誠に大変である。
【０００３】
そこで、収容部の構造を先行文献から、検討することにすると、先ず、文献１は、実開昭５９−９１８６０号公報の「カバン兼用ノート」であり、カバンの背カバーの内壁面（蓋部の内壁面）に、帯状のホルダーを、複数個設けるとともに、この複数個のホルダーは、長短の長さ（差込み幅）を有する構造とする。このホルダーを利用して、大小の品物を支持する。しかし、この考案は、品物をホルダーに差込み支持する構造であるので、品物の支持が不安定となることが有り得ること、又は品物がズリ落ちることがあり、確実な支持に問題を残すことが考えられる。また、ホルダーが品物を確実に支持しないと（ホルダーで品物を挾持しないと）、この品物を受止める手段がなく、前述と同様に、品物がズリ落ちることがあり、確実な支持に問題を残すことが考えられる。次に、同様な考案として、文献２を挙げると、この考案は、実開昭６１−１１６５２１号公報の「内容物を任意の位置に固定できるカバン」であり、前述の文献１と略同じ構造と特徴がある。従って、その問題も略同様である。その他として、前述した従来技術のポケットの改良として、文献３の特開２０００−３２５１２４号公報の「鞄」であり、この発明は、鞄の内壁面に、複数で、かつ寸法の異なるポケットを設けた構造が、鞄内に収められる収納板の一面、又は両面に、複数で、かつ寸法の異なるポケットを設けた構造である。この発明では、品物の収納が、ポケットの寸法で規制されることから、汎用性に欠けること、又は寸法及び／又は形状の異なる品物を収容することを考えた場合に、この構造では対応できないこと、などの問題を抱えている。
【０００４】
【特許文献１】実開昭５９−９１８６０号公報
【特許文献２】実開昭６１−１１６５２１号公報
【特許文献３】特開２０００−３２５１２４号公報
【発明の概要】
【発明が解決しようとする課題】
【０００５】
前述した、文献１−３においては、それぞれ問題を抱えており、その改良が望まれることから、本発明は、下記のことを意図する。
１）  複数本（複数帯）の弾性体と、この弾性体の下側に、少なくとも、一つの袋体を配備することで、収容具に、寸法及び／又は形状の異なる品物を、簡易に、かつ落下することなく、確実に収容すること、等にある。
２）  寸法及び／又は形状の異なる品物を収容することを考えた場合に、弾性体と、並列する弾性体の構造を利用して、収容具に、確実かつ安定的に対応可能とすること、等にある。
３）  弾性体と、袋体の配置の変更、又は寸法の変更を、それぞれランダムにすることで、収容具に、寸法及び／又は形状の異なる全ての品物を、簡易に、かつ落下することなく、確実に収容すること、等にある。
４）  弾性体と、袋体の配置の変更、又は寸法の変更を、それぞれランダムにすることで、収容具に、寸法及び／又は形状の異なる全ての品物を、各人の好みで、収容可能とすること、にある。
５）  袋体を一本で、横一文字に配備することで、収容具に、品物の収容位置の一体化と、品物の大小の認識性の確保と、収容の容易化を図ること、等にある。
６）  袋体を剛性とすることで、収容部に剛性を付与し、収容具の形状の定形性を確保できる。
７）  弾性体が重なり代を備えた構造では、品物の縦横長さ、厚み等の大小に関係なく、支持できることと、品物の形状、例えば、棒状、立方体、円柱等においても、確実に支持できる収容具を提供する。
８）  袋体に弾性を付与することで、品物に対する衝撃を緩和する。また、精緻な品物の収容に有益性を与える。
【課題を解決するための手段】
【０００６】
請求項１の発明は、１）と、２）を達成することを意図する。
【０００７】
請求項１は、鞄、バッグ、又はアタッシュケース、キャリーバッグ、又は財布でなる収容具の内壁面に、複数本の弾性体を設け、この弾性体の最も下端の弾性体の下側に、この弾性体の幅方向の長さと同等か、又は長い袋体を設け、この袋体の開口が、前記弾性体の下側に配備される構成とした収容部の構造である。
【０００８】
請求項２の発明は、３）と、４）を達成することを意図する。
【０００９】
請求項２は、請求項１に記載の収容部の構造であって、
前記弾性体が、ランダムか、千鳥形状に配備し、この弾性体の上下間に、間隔を設ける構成とした収容部の構造である。
【００１０】
請求項３の発明は、５）を達成することを意図する。
【００１１】
請求項３は、請求項１に記載の収容部の構造であって、
前記弾性体と前記袋体が、内壁面の長手方向に配備される構成とした収容部の構造である。
【００１２】
請求項４の発明は、６）を達成することを意図する。
【００１３】
請求項４は、請求項１に記載の収容部の構造であって、
前記袋体が、ポケットか、又は袋形状か、或いは硬性の受け皿形状とする構成とした収容部の構造である。
【００１４】
請求項５の発明は、７）を達成することを意図する。
【００１５】
請求項５は、請求項１に記載の収容部の構造であって、
前記弾性体は、前記内壁面の上下方向において、複数段形成される構造であり、この上下における弾性体の端部間が、それぞれ重なることで、重なり代が形成される構成とした収容部の構造である。
【００１６】
請求項６の発明は、８）を達成することを意図する。
【００１７】
請求項６は、請求項１に記載の収容部の構造であって、
前記袋体に、弾性を付与する構成とした収容部の構造である。
【発明の効果】
【００１８】
請求項１の発明は、鞄、バッグ、又はアタッシュケース、キャリーバッグ、又は財布でなる収容具の内壁面に、複数本の弾性体を設け、弾性体の最も下端の弾性体の下側に、弾性体の幅方向の長さと同等か、又は長い袋体を設け、袋体の開口が、弾性体の下側に配備される構成とした収容部の構造である。
【００１９】
従って、請求項１は、前記１）と、２）を達成できる特徴がある。
【００２０】
請求項２の発明は、請求項１に記載の収容部の構造であって、
弾性体が、ランダムか、千鳥形状に配備し、弾性体の上下間に、間隔を設ける構成とした収容部の構造である。
【００２１】
従って、請求項２は、３）と、４）を達成できる特徴がある。
【００２２】
請求項３の発明は、請求項１に記載の収容部の構造であって、
弾性体と前記袋体が、内壁面の長手方向に配備される構成とした収容部の構造である。
【００２３】
従って、請求項３は、５）を達成できる特徴がある。
【００２４】
請求項４の発明は、請求項１に記載の収容部の構造であって、
袋体が、ポケットか、又は袋形状か、或いは硬性の受け皿形状とする構成とした収容部の構造である。
【００２５】
従って、請求項４は、６）を達成できる特徴がある。
【００２６】
請求項５の発明は、請求項１に記載の収容部の構造であって、
弾性体は、内壁面の上下方向において、複数段形成される構造であり、上下における弾性体の端部間が、それぞれ重なることで、重なり代が形成される構成とした収容部の構造である。
【００２７】
従って、請求項５は、７）を達成できる特徴がある。
【００２８】
請求項６の発明は、請求項１に記載の収容部の構造であって、
袋体に、弾性を付与する構成とした収容部の構造である。
【００２９】
従って、請求項６は、８）を達成できる特徴がある。
【図面の簡単な説明】
【００３０】
【図１】鞄の内壁面（内面側）に、ゴム、スプリング、又はワイヤ、或いは布地、皮革等でなる、弾性体（弾力の強弱は、原則として関係しない）と袋体を設けた一例の斜視図
【図２】婦人用バッグの内壁面に、ゴム、スプリング、又はワイヤ、或いは布地、皮革等でなる、弾性体と袋体を設けた一例の斜視図
【図３】アタッシュケースの内壁面に、ゴム、スプリング、又はワイヤ、或いは布地、皮革等でなる、弾性体と袋体を設けた一例の斜視図
【図４】キャリーバッグの内壁面に、ゴム、スプリング、又はワイヤ、或いは布地、皮革等でなる、弾性体と袋体を設けた一例の斜視図
【図５】財布の内壁面に、ゴム、スプリング、又はワイヤ、或いは布地、皮革等でなる、弾性体と袋体を設けた一例の斜視図
【図６−１】弾性体と袋体との配備の第一例を示した要部の模式図
【図６−２】弾性体と袋体との配備の第二例を示した要部の模式図
【図６−３】弾性体と袋体との配備の第三例を示した要部の模式図
【図６−４】弾性体と袋体との配備の第四例を示した要部の模式図
【図６−５】弾性体と袋体との配備の第五例を示した要部の模式図
【図６−６】弾性体と袋体との配備の第六例を示した要部の模式図
【図６−７】弾性体と袋体との配備の第七例を示した要部の模式図
【図７−１】袋体の第一例の拡大断面図
【図７−２】袋体に挾持機能を付与した第二例の拡大断面図
【図７−３】袋体への差込みを容易とした第三例の拡大断面図
【図７−４】袋体をレース地で構成した第四例の拡大断面図
【図７−５】袋体に弾性機能を付与した第五例の拡大断面図
【発明を実施するための形態】
【００３１】
以下、本発明の好ましい実施例を説明する。
【００３２】
１は鞄、婦人用・紳士用・ショルダー用・紙製等のバッグ、又はアタッシュケース、キャリーバッグ、又は財布でなる収容具で、この収容具１の内壁面１００には、後述する各例の如く、品物Ａを弾性的、又は圧着的に挾持するか、単に支持する帯状でなる、例えば、ゴム、スプリング、又はワイヤ、或いは布地、皮革等でなる弾性体２と、後述する各例の如く、この弾性体２の最も下端の弾性体２の下側３に、この弾性体２の横方向Ｂ（長手方向）の長さと同等か、又はこの横方向Ｂより長い、品物Ａを収容（一部で下側を収容）、かつ支持するゴム、布地、皮革又は剛性の皿、或いはスプリング材等でなる袋体５を設ける。この袋体５の上側は、開口６する。
【００３３】
以下、内壁面１００の上下方向において、複数段形成した弾性体２と、原則として、内壁面１００に、一段（数段も含む）形成した袋体５との組合せ各一例をそれぞれ説明すると、図６−１の第一例は、図１〜図６の各収容具１に図示した例であり、横方向Ｂに三等分した弾性体２を、千鳥形状に配備した構造である。また、袋体５も同じ構造とする。この弾性体２の内面と、内壁面１００との間に形成される、僅かな隙間２００を利用して、品物Ａを挾持する構造である（以下同じ）。従って、弾性体２の横方向Ｂの寸法だけ、複数の品物Ａを差込み支持できる（以下同じ）。また、図６−２の第二例は、それぞれの上下の弾性体２の端部間が、それぞれ重なることで、数箇所（一箇所も含む）で重なり代Ｄ（被り代、又は重ね代）ができる構造であり、品物Ａを強く保持できることが特徴である。そして、この第二例では、袋体５（袋体５は、原則として、重なり代Ｄはない）の配備を、第一例と異なり、上側袋体５が一条で、下側袋体５が二条の配備となり、大小の品物Ａに順応した構造である。尚、図示しないが、上側袋体５が二条で、下側袋体５が一条の配備もあり得る。そして、図６−３の第三例は、弾性体２が、第一例と同じ配備であるが、中心の弾性体２が、左右端の弾性体２に対して長い形状とする。この第三例では、重なり代Ｄを有する構造である。また、袋体５は横一文字形状とする。これにより、多数の品物Ａの収容を可能とすること、又は各人の好みを達成できること、等の特徴が考えられる。図６−４の第四例は、前記第二例の重なり代Ｄを有する弾性体２の構造と、第三例の袋体５の組合せ構造である。さらに、図６−５の第五例は、横一文字の二条の弾性体２、又は数条の弾性体２と、前記第三例の袋体５の組合せ構造である。この図示の第一例から第五例は一例であり、図示しないその他の各例がある。尚、図６−６の第六例では、内壁面１００の横方向Ｂ全体に、弾性体２と袋体５を設けた構造であり、大型の書類、封筒、用紙等の収容に利用する。また、図６−７の第七例は、弾性体２の幅を、やや太くし（各例の幅と同じも可能）、上下の弾性体２において、この上の弾性体２の下側の一部に、下の弾性体２の上側の一部を、重ね合わせる縫合とし、この重ね合わせ箇所で、二重に品物Ａを支持することが可能となり、品物Ａを確実に支持する構造である。また、他の弾性体２の構造も同じである。尚、前述の如く、弾性体２が重なり代Ｄを備えた構造では、前述の特徴の他に、品物Ａの縦横長さ、厚み等の大小に関係なく、支持できることと、品物Ａの形状、例えば、棒状、立方体、円柱等においても、確実に支持できる特徴がある。前述した、各例において、上下関係における弾性体２の上下の隙間Ｅは、第五例、第六例の大きな場合、第一例の中間の場合、第二例、第三例とか第四例の小さい場合がある。この隙間Ｅの大小は限定されない。また、図示しないが、弾性体２が上下で重なる場合もあり得る。そして、弾性体２の幅（上下方向）は、一例であり限定されないことと、収容具１の大小とか、形状、用途等で変更される。
【００３４】
また、袋体５の断面形状を示した図７−１〜図７−５において、それぞれの形状（構造）と特徴を説明すると、図７−１の第一例は、通常の形状であり、開口６を備え、両端と底部を、内壁面１００に縫合８した袋５００である。この袋５００の内部に品物Ａの下側Ａ１００（下端）が収容される（受止められる）。そして、この開口６は、開口状態が確保される構造とする。例えば、スプリング、ワイヤ等の鋼材で枠組み構成する（以下同じ）。また、図７−２の第二例は、袋体６の横方向Ｂの横中心に絞り５０１を設け、品物Ａを挾持して収容する構造とする。これにより、品物Ａの抜け防止を図る。さらに、図７−３の第三例は、袋体５を剛性で形成し、かつ開口６を開放した構造であり、収容具１が変形する構造において、その形状確保と、品物Ａの形状確保等を介して、美感の向上と、品物Ａの取出し、収容の容易化等を意図する。また、図７−４の第四例では、袋体５をレース地で形成した構造であり、美感の向上と、女性を対象とした使用と、優しさを表現すること、等を意図する。また、レース生地、図柄、又は色彩の変化を利用して、趣向性の確保、装飾（ファッション）感覚とか、利用者の要望に応え得ること、等の利点がある。そして、図７−５の第五例は、袋体５を弾性生地か、弾性素材で構成し、精密品物Ａ（携帯電話Ａ１、測定・測量機器、或いは、時計、計算機、ＩＴ機器、カメラ等）を衝撃から保護することを意図する。従って、収容具１を落下するか、又は衝突で衝撃を受けた場合においても、この精密品物Ａを確実に保護することを意図する。また、この袋体５と、前記弾性体２との上下の間隔Ｆの大小は自由である。さらに、袋体５の幅（上下方向）は、一例であり限定されないことと、収容具１の大小とか、形状、用途等で変更される。
【００３５】
そこで、図１〜図５を利用して、使用の各例を説明するが、原則として、同じ構造であり、図１の鞄１Ａ、図２のバッグ１Ｂで説明すると、一本、又は多数本の弾性体２を利用して、品物Ａを挟む。この挾みの状態は、内壁面１００の上下側（縦方向Ｃ）において、一本毎に、隙間２００に交互に差入れるか、又は一本、或いは数本の隙間２００にストレートに差入れる等の方法で差入れて支持する。この際に、品物Ａの下側Ａ１００を袋体５で収容する。これにより、品物Ａが弾性体２よりずれることはなく、また、収容具１内に落下することは皆無であり、重宝することと、取出しの容易化と、整然かつ美麗に品物Ａの収容ができる。殊に、図３のアタッシュケース１Ｃ、図４のキャリーバッグ１Ｄの内壁面１００において、広い空間が形成される構造には、最適である。尚、図５の財布１Ｅにおいても、図１の鞄１Ａ、図２のバッグ１Ｂの例に準ずる。尚、図３、図４において、弾性体２と袋体５に、ペンＡ２とメモ帳Ａ３を収容した例が示されており、また、図５ではカードＡ４を収容した例をそれぞれ示している。
【００３６】
図中１０１は鞄１Ａ、アタッシュケース１Ｃ、又はキャリーバッグ１Ｄの蓋側、１０２は鞄１Ａ、バッグ１Ｂ、アタッシュケース１Ｃ、又はキャリーバッグ１Ｄの収容側を示す。１０３は鞄１Ａ、バッグ１Ｂ、アタッシュケース１Ｃ、又はキャリーバッグ１Ｄの鉤、チャック、紐等の緊締具を示す。そして、図中１０４は蓋側１０１（収容側１０２）の外壁面、１０５は蓋側１０１（収容側１０２）の芯材をそれぞれ示す。
【００３７】
そして、鞄１Ａ、アタッシュケース１Ｃ、又はキャリーバッグ１Ｄ等には、持ち手１０６を設ける。図中７は袋体５に装飾目的で設けたレース地を示している。
【符号の説明】
【００３８】
１          収容具
１Ａ        鞄
１Ｂ        バッグ
１Ｃ        アタッシュケース
１Ｄ        キャリーバッグ
１Ｅ        財布
１００      内壁面
１０１      蓋側
１０２      収容側
１０３      緊締具
１０４      外壁面
１０５      芯材
１０６      持ち手
２          弾性体
２００      隙間
３          下側
５          袋体
５００      袋
５０１      絞り
６          開口
７          レース地
Ａ          品物
Ａ１００    下側
Ａ１        携帯電話
Ａ２        ペン
Ａ３        メモ帳
Ａ４        カード
Ｂ          横方向
Ｃ          縦方向
Ｄ          重なり代
Ｅ          隙間
Ｆ          間隔
【図１】
2013005890.tif 000003
【図２】
2013005890.tif 000004
【図３】
2013005890.tif 000005
【図４】
2013005890.tif 000006
【図５】
2013005890.tif 000007
【図６−１】
2013005890.tif 000008
【図６−２】
2013005890.tif 000009
【図６−３】
2013005890.tif 000010
【図６−４】
2013005890.tif 000011
【図６−５】
2013005890.tif 000012
【図６−６】
2013005890.tif 000013
【図６−７】
2013005890.tif 000014
【図７−１】
2013005890.tif 000015
【図７−２】
2013005890.tif 000016
【図７−３】
2013005890.tif 000017
【図７−４】
2013005890.tif 000018
【図７−５】
2013005890.tif 000019